(57)【要約】【課題】    夏季には通風を図り、冬季には気密性を図ることにより、雨戸本来の防護、防犯目的と共に、夏季および冬季の省エネルギー効果を図ることができる雨戸装置を提供する。【課題を解決するための手段】    通風型雨戸７を１枚と密閉型雨戸６ａ，ｂ２枚の合計３枚の雨戸を建物外面側および建物壁面側に膨らんだ戸袋４に収納し、中央部に収納した密閉型雨戸６ａを先に引出し、次に用途に応じて、通風型雨戸７あるいは密閉型雨戸６ｂを選択して引出すことにより、なんら雨戸の取外しをすることなく、容易に通風型あるいは密閉型雨戸の組合せを構成することにより、上記課題を達成する。【選択図】        図４
2005163519.tif 000002
【特許請求の範囲】
【請求項１】
外付型あるいは半外付型２枚扉サッシ用引戸式雨戸装置（以下雨戸装置と記す）において、３枚の雨戸を建物外面側および建物壁面側に膨らんだ戸袋に収納し、その雨戸は開口部を有する雨戸（以下通風型雨戸と記す）が１枚、開口部を有しない雨戸（以下密閉型雨戸と記す）２枚により構成され、用途に応じて通風型雨戸１枚および密閉型雨戸１枚の組合せ、あるいは密閉型雨戸２枚の組合せを容易に構成使用することができる雨戸装置。
【発明の詳細な説明】
【技術分野】
【０００１】  本発明は、家庭用および産業用等に用いられる雨戸装置に関する。
【背景技術】
【０００２】  従来、２枚扉サッシの外側には、金属製あるいは木製の雨戸装置が配置されている。これらに使用される雨戸は、不使用時には戸袋に重ねて収納され、夜間等の使用時には戸袋より引出され、サッシガラス部を覆うことにより、ガラス部の保護、保温、防犯目的に使用されている。【０００３】  雨戸装置には、密閉型雨戸が２枚、あるいは通風性を重視する場合にはルーバー雨戸等の開口部を有する通風型雨戸を２枚使用している。【０００４】  また、近年においては、開口部を必要に応じて調整することができる可動式ルーバー雨戸装置も使用されている。
【発明の開示】
【発明が解決しようとする課題】
【０００５】  従来の密閉型雨戸を夏季に使用した場合は通風機能を有しないため、室内環境を維持するためにはクーラー等の冷房費用が必要となる。【０００６】  これらを解決するために、開口部を有するルーバー雨戸等の通風型雨戸を使用した場合には、冬季において、開口部よりの放熱により、暖房費用が高くなる。【０００７】  また、上記のような従来型の雨戸装置の欠点を解決する装置として、開口部を必要に応じて調整することができる可動式ルーバー雨戸装置が使用されているが、構造が複雑であり、故障要因となると共に非常に高価なものとなっている。【０００８】  そこで、本発明は価格や設置面積を殆ど増すことなく、密閉型雨戸と通風型雨戸を容易に切替使用できるようにして、夏季には通風を図り、冬季には密閉性を図ることにより、雨戸本来の防護、防犯目的と共に、夏季および冬季の省エネルギー効果を図ることができる雨戸装置を提供することにある。
【課題を解決するための手段】
【０００９】  このような課題を解決するために鋭意研究を重ねた結果、以下の発明を完成するに至り、例えば、従来の通風雨戸装置では２枚の通風型雨戸が使用されているが、通風使用時にはサッシのガラス戸は１枚分の開口部しかないため、通風型雨戸を１枚と密型雨戸１枚の組合せで十分であることを見出した。【００１０】  また、保温目的に使用する場合は、密閉性を高めるため密閉型雨戸２枚の組合せが必要である。【００１１】  従って、通風および保温の目的のためには、最小限必要な雨戸は、通風型雨戸１枚と密閉型雨戸２枚となり、これらを必要に応じて組合わせて使用すればよいことがわかった。【００１２】  次に、これらの雨戸の組合せを変更する方法であるが、従来の雨戸装置では、戸袋あるいは枠部の一部を取外し、外部に保管してある雨戸と差し替えなければならない。【００１３】  そこで、本発明では通風型雨戸を１枚、密閉型雨戸を２枚の合計３枚の雨戸を建物外面側および建物壁面側に膨らんだ戸袋に収納し、中央部に収納した密閉型雨戸を先に引出し、次に用途に応じて、建物外面側あるいは建物壁面側の何れかの雨戸を選択して引出せば、なんら雨戸の取外しをすることなく、容易に必要な組合せを行うことができる。【００１４】  また、図２、図３に示すように従来の雨戸装置では外付けあるいは半外付けサッシと建物壁面との間に空間が生じていたが、本発明ではこの空間をも戸袋部分に使用することにより、屋外側に何ら出幅を増加させることなく、必要な雨戸全てを収納することができる。
【発明の効果】
【００１５】  本発明は雨戸の使用に際し、以下のように画期的な効果を期待できる。【００１６】（１）雨戸構成を容易に変更できることにより、夏季には通風雨戸装置として、冬季には保温雨戸装置として使用できるので、省エネ効果が期待できる。【００１７】（２）使用する雨戸は、密閉型雨戸２枚および通風型雨戸１枚の従来型の既製品雨戸を使用するため、同目的の可動ルーバー型雨戸装置に比べて安価である。【００１８】（３）本雨戸装置の戸袋の片面側は、建物壁面と雨戸枠とで生じる空間部分に収まるため、収納雨戸枚数が増加するにもかかわらず、屋外側への出幅は従来型の雨戸装置と同等である。
【発明の実施するための最良の形態】
【００１９】  以下、本発明を実施するための最良の形態について図を用いて具体的に説明する。
【００２０】  図１は本雨戸装置の構成を示す平面断面図であり、通常の雨戸枠５、３枚の雨戸を収納する戸袋４および通風型雨戸７を１枚と密閉型雨戸６ａ，６ｂ２枚の合計３枚の雨戸により構成されている。
【００２１】  雨戸が戸袋４内に収納された状態では、密閉型雨戸６ａが３枚の雨戸の真中に、残る通風型雨戸７と密閉型雨戸６ｂは何れかの端側に収納され（図では例として、通風型雨戸７を屋内側に設置しているが、屋内側あるいは屋外側の何れの側に設置してもよい）、雨戸使用時には使用形態に応じて真中に収納されていた密閉型雨戸６ａに引続いて通風型雨戸７あるいは密閉型雨戸６ｂを引出して、所望の形態の雨戸構成を形成することができる。
【００２２】  雨戸不使用時には、上記操作の逆の順序にて雨戸を戸袋に収納することができる。
【００２３】  図４から図９に雨戸装置の建物への取付けおよび使用状態を示す。
【００２４】  本雨戸装置の戸袋の出っ張り部分の片面側は、建物壁面と雨戸枠とで生じる空間部分に収まるため、屋外側への出幅は従来型の雨戸装置と同等である。
【００２５】  図４と図７は雨戸不使用時の収納状態を示す平面断面図および正面図であり、外観上は従来の雨戸装置と同じであり、必要な雨戸を全て戸袋内に収納している。
【００２６】  図５と図８は冬季等の保温目的とする密閉型２枚の組合わせの使用状態を示す平面断面図および正面図であり、外観上は従来の雨戸装置と同じであり、サッシガラス部分を完全に覆っており、防護、防犯および保温効果を果たすことができる。
【００２７】  図６と図９は夏季等の通風目的とする通風型雨戸７と密閉型雨戸６ａの組合わせ使用状態を示す平面断面図および正面図であり、サッシガラス戸の開口した部分と通風型雨戸部分とを合わせることにより防護、防犯および通風効果を果たすことができる。
【図面の簡単な説明】
【００２８】
【図１】  本発明の実施形態に基づく、雨戸装置の構成平面断面図。
【図２】  従来技術に基づく、雨戸装置の取付け平面断面図で、雨戸を戸袋に収納した状態を示す。（図は例として密閉型雨戸設置を示す）
【図３】  従来技術に基づく、雨戸装置の取付け平面断面図で、雨戸を戸袋引から出した状態を示す。（図は例として密閉型雨戸設置を示す）
【図４】  本発明の実施形態に基づく、雨戸装置の取付け平面断面図で、密閉型雨戸と通風型雨戸を戸袋に収納した状態を示す。
【図５】  本発明の実施形態に基づく、雨戸装置の取付け平面断面図で、密閉型雨戸を設置した状態を示す。
【図６】  本発明の実施形態に基づく、雨戸装置の取付け平面断面図で、密閉型雨戸と通風型雨戸を設置した状態を示す。
【図７】  本発明の実施形態に基づく、雨戸装置の取付け正面図で、雨戸を戸袋に収納した状態を示す。
【図８】  本発明の実施形態に基づく、雨戸装置の取付け正面図で、密閉型雨戸２枚の組合せを設置した状態を示す。
【図９】  本発明の実施形態に基づく、雨戸装置の取付け正面図で、密閉型雨戸１枚と通風型雨戸１枚の組合せを設置した状態を示す。
【符号の説明】
【００２９】１      壁
２      サッシ枠
３ａ    サッシ引違い扉
３ｂ    サッシ引違い扉
４      戸袋
５      雨戸枠
６ａ    密閉型雨戸
６ｂ    密閉型雨戸
７      通風型雨戸
【図１】
2005163519.tif 000003
【図２】
2005163519.tif 000004
【図３】
2005163519.tif 000005
【図４】
2005163519.tif 000006
【図５】
2005163519.tif 000007
【図６】
2005163519.tif 000008
【図７】
2005163519.tif 000009
【図８】
2005163519.tif 000010
【図９】
2005163519.tif 000011